(57)【要約】【課題】  磁気ヘッドの磨耗量を正確に把握することを可能とし、磁気ヘッドの交換を適切なタイミングで行うことができるようにする。【解決手段】  対向配置されたパッドローラあるいは他の磁気ヘッドとの間でカード状磁気記録媒体を押し当てて摺接させながら相対的に走行させて磁気記録の読み取りあるいは書き込み若しくはその双方を行う磁気ヘッドにおいて、磁気ギャップを構成するヘッド部３の周囲に配置されるとともに媒体摺動面を構成する領域２を有する被摺動部材に、ヘッド部３の磨耗量を示す段部４が少なくとも１箇所形成されている。【選択図】図１
2009163818.tif 000002
【特許請求の範囲】
【請求項１】
対向配置されたパッドローラあるいは他の磁気ヘッドとの間でカード状磁気記録媒体を押し当てて摺接させながら相対的に走行させて磁気記録の読み取りあるいは書き込み若しくはその双方を行う磁気ヘッドにおいて、磁気ギャップを構成するヘッド部の周囲に配置されるとともに媒体摺動面を構成する領域を有する被摺動部材に、前記ヘッド部の磨耗量を示す段部が少なくとも１箇所形成されていることを特徴とする磁気ヘッド。
【請求項２】
前記段部は、前記媒体摺動面を構成する領域内であって、前記カード状磁気記録媒体が摺動する媒体摺動方向と直交する方向の前記被摺動部材の端部に設けられているものである請求項１記載の磁気ヘッド。
【請求項３】
前記段部は前記媒体摺動方向に沿って形成され、前記媒体摺動方向に両端が開放されている切り欠きで構成されているものである請求項１または２記載の磁気ヘッド。
【請求項４】
異なる磨耗量を示す複数の前記段部が形成されていることを特徴する請求項１から３のいずれか１つに記載の磁気ヘッド。
【請求項５】
前記被摺動部材は、前記ヘッド部を保持するコアホルダであり、前記媒体摺動方向に沿って、前記コアホルダの側面に前記段部が形成されていることを特徴とする請求項１から４のいずれかに記載の磁気ヘッド。
【請求項６】
前記被摺動部材は、前記ヘッド部を包囲するシールドケースである請求項１から４のいずれか１つに記載の磁気ヘッド。
【請求項７】
請求項１記載の磁気ヘッドを、開放されたあるいは開放可能なカード状磁気記録媒体搬送路に臨んで配置していることを特徴する磁気データ処理装置。
【発明の詳細な説明】
【技術分野】
【０００１】
本発明は、対向配置されたパッドローラあるいは他の磁気ヘッドとの間でカード状磁気記録媒体を押し当てて摺接させながら相対的に走行させて磁気情報の読み取りあるいは書き込み若しくはその双方を行う磁気ヘッドに関する。さらに詳述すると、本発明は目視によりヘッドの摩耗状態を確認可能とする磁気ヘッドの構造に関する。
【背景技術】
【０００２】
対向配置されたパッドローラあるいは他の磁気ヘッドとの間でカード状磁気記録媒体を押し当てて摺接させながら相対的に走行させて記録情報の読み書きを行う磁気データ処理装置においては、磁気ヘッドの摩耗が激しい。しかも、磁気ヘッドの摩耗量は使用頻度や粉塵等の侵入の有無などの使用環境により大きく異なる。このため、使用時間や期間などで磁気ヘッドの磨耗量を正確に把握することが困難であるため、磁気ヘッドの交換を適切なタイミングで行うことが難しいという問題がある。磁気ヘッドの交換時期が早過ぎると不経済であるし、遅過ぎると磁気ヘッドの磨耗が進みすぎて読み取りエラーや書き込みエラーの発生頻度が高くなる。そこで、磁気ヘッドの磨耗を適切に検出して適切に交換を行うことが望まれる。
【０００３】
従来、磁気ヘッドの磨耗状態を目視で可能とする技術として、磁気ヘッド交換の目安とする摩耗量を示すアラーム層を磁気ヘッド内部に設け、このアラーム層が磁気ヘッドの表面に露出することにより、磁気ヘッドの表面の色が地色（金属色）から黄色や赤色に変化することにより磁気ヘッドの交換時期を視覚的に判定可能としたものが提案されている（ 特許文献１）。アラーム層は、磁気ヘッドの地色と異なる色に着色された部分であり、磁気ヘッドの素材となる金属に着色材を含有させることで形成している。
【０００４】
【特許文献１】特開２００６−１２７６０１号
【発明の開示】
【発明が解決しようとする課題】
【０００５】
しかしながら、磁気ヘッドの内部に磁気ヘッドの地色と異なる色に着色されたアラーム層を設ける構造であるので、磁気ヘッドの素材となる金属に着色材を含有させたものを準備し、かつそれを磁気ヘッドの内部の所定の位置に層を形成するように取り込む作業が必要となり、製造工程が増えかつ製造上の難度が高くなり、製造コストを上げてしまう問題がある。
【０００６】
しかも、アラーム層は磁気ヘッドの内部に設けられることから、媒体摺動面の円筒研削の前の磁気ヘッド製造過程でヘッドの頂点から摩耗の目安となる高さが設定される（作り込まれる）ので、磁気ヘッド組み立て後の磁気ヘッドの表面・媒体摺動面を円筒研削で整形しかつ研磨するときの加工量のばらつきによって、仕上がった磁気ヘッドの頂部から磁気ヘッド摩耗量を表すアラーム層までの深さ、即ちアラーム層の露出によって示すことができる実際の摩耗量がばらつくこととなる問題がある。つまり、アラーム層の寸法出しが難しく、正確な摩耗量を示すインジケータとして機能し得ないものである。
【０００７】
そこで本発明は、摩耗量を正確に示唆するインジケータとして機能するアラーム面を有する磁気ヘッドを提供することを目的とする。
【課題を解決するための手段】
【０００８】
かかる目的を達成するため、本発明は、対向配置されたパッドローラあるいは他の磁気ヘッドとの間でカード状磁気記録媒体を押し当てて摺接させながら相対的に走行させて磁気記録の読み取りあるいは書き込み若しくはその双方を行う磁気ヘッドにおいて、磁気ギャップを構成するヘッド部の周囲に配置されるとともに媒体摺動面を構成する領域を有する被摺動部材に、前記ヘッド部の磨耗量を示す段部が少なくとも１箇所形成されている。
【０００９】
また、請求項２記載の発明は、請求項１記載の磁気ヘッドにおいて、段部が媒体摺動面を構成する領域内であって、カード状磁気記録媒体が摺動する媒体摺動方向と直交する方向の外側被摺動部材の端部に設けられているものである。
【００１０】
また、請求項３記載の発明は、請求項１または２記載の磁気ヘッドにおいて、段部が媒体摺動方向に沿って形成され、媒体摺動方向に両端が開放されている切り欠きで構成されているものである。
【００１１】
また、請求項４記載の発明は、請求項１から３のいずれか１つに記載の磁気ヘッドにおいて、異なる磨耗量を示す複数の段部が形成されているものである。
【００１２】
また、請求項５記載の発明は、請求項１から４のいずれかに記載の磁気ヘッドにおいて、被摺動部材が、ヘッド部を保持するコアホルダであり、媒体摺動方向に沿って、コアホルダの側面に段部が形成されているものである。
【００１３】
また、請求項６記載の発明は、請求項１から４のいずれか１つに記載の磁気ヘッドにおいて、被摺動部材が、ヘッド部を包囲するシールドケースであることを特徴とする。
【００１４】
さらに、本発明にかかる磁気データ処理装置は、請求項１記載の磁気ヘッドを、開放されたあるいは開放可能なカード状磁気記録媒体搬送路に臨んで配置していることを特徴とするものである。
【発明の効果】
【００１５】
請求項１記載の磁気ヘッドによれば、記録情報の読み書きの度にカード状磁気記録媒体が媒体摺動面と擦れてヘッド部が摩耗するのと同時にヘッド部の周囲に配置されるとともに媒体摺動面を構成する領域を有する被摺動部材も摩耗して段部の高さが低減して行くので、磁気ヘッドの磨耗量をヘッド表面に露出している段部の高さの変化によって判断でき、さらには段部の消失の有無によってヘッドの交換時期あるいはヘッド寿命を目視で確認して判断できる。
【００１６】
しかも、ヘッド寿命高さを示す段部は、磁気ヘッドの組み立て後の媒体摺動面を仕上げる研磨加工を完了した後に加工できるので、寸法出しが完了したヘッド表面のヘッド頂部を基準に加工することが可能となり、段部の深さ即ちヘッド寿命高さが精度良く均一に作り出すことができ、それによって示されるヘッドの摩耗量が正確なものとなる。よって、磁気ヘッドの磨耗量を正確に把握することが可能となり、磁気ヘッドの交換を適切なタイミングで行うことができる。
【００１７】
また、請求項２記載の磁気ヘッドによれば、段部が、媒体摺動面を構成する領域内であって、被摺動部材の端部に設けられているので、加工刃具を磁気ヘッドに対して側方から水平移動させることであるいは媒体摺動方向に移動させることで段部を加工でき、段部の加工作業が容易である。
【００１８】
また、請求項３記載の磁気ヘッドによれば、段部が媒体摺動方向に沿って形成され、媒体摺動方向に両端が開放されている切り欠きで構成されるので、媒体摺動方向に加工刃具を水平移動させるだけで簡単に正確な深さの段部が形成される。しかも、媒体摺動面と段部との境界の稜が媒体摺動方向に沿って形成されるため、深さ方向の摩耗量の変化が媒体摺動方向の変化として増幅されて示されることからより目視し易くなる。
【００１９】
また、請求項４記載の磁気ヘッドによれば、段階的に摩耗量を目視で確認できるので、磁気ヘッドの交換時期あるいは寿命と判断される摩耗量に達する前に、磁気ヘッド寿命に近づきつつあることを段階的に予告可能となる。
【００２０】
さらに、請求項７記載の発明にかかる磁気データ処理装置によれば、保守点検等の際などに、開放されたあるいは開放可能なカード状磁気記録媒体搬送路に臨んで配置されている磁気ヘッドの段差の状況を目視できるので、磁気ヘッドを搬送路から一々取り外したりすることなく、磁気ヘッドの交換時期に達しているのかあるいは寿命と判断される摩耗量に近々達するものなのか判断できる。勿論、上側のフレームが開いて搬送路を開放することにより、あるいは磁気ヘッド組が取り外し可能である場合には磁気ヘッド組を簡単に取り外すことにより、簡単に目視判断により磁気ヘッドの交換時期を判断できる。
【発明を実施するための最良の形態】
【００２１】
以下、本発明の構成を図面に示す実施形態に基づいて詳細に説明する。
【００２２】
図１から図５に本発明を磁気カードリーダー用磁気ヘッドに適用した実施の一形態を示す。この磁気ヘッドは、図示していないが、対向配置されたパッドローラあるいは他の磁気ヘッドとの間でカード状磁気記録媒体を押し当てて摺接させながら相対的に走行させて磁気記録の読み取りあるいは書き込み若しくはその双方を行うものである。
【００２３】
この磁気ヘッドは、磁気ギャップＧを挟んで対向配置された少なくとも一対の磁気コアからなるヘッド部が、複数のデータトラックに対応して複数設けられたものであり、上記ヘッド部は、例えば、断面がほぼコ字形状で記録用コイルが巻かれた記録用コアと、断面がほほコ字形状で記録用コアより狭いコア幅を有して再生用コイルが巻かれた再生用コアとからなっている。このように、再生幅に対して記録幅が広い構成となっている、いわゆるワイドライト／ナローリード磁気ヘッドである。尚、本実施形態では、図１等に示す磁気ヘッド１は、２つのヘッド部３１，３２を備える２チャンネルの磁気ヘッドであり、カード状記録媒体に形成された、２つのデータトラックに対して磁気データの記録及び再生の機能を有する。
【００２４】
各ヘッド部３１（３２）は、例えば、本実施形態では、記録用コイル（図示せず）が巻き回してなる記録用コア３１ａ（３２ａ）と、記録用コア３１ａ（３２ａ）より狭いコア幅を有して再生用コイル（図示せず）が巻かれた再生用コア３１ｂ（３２ｂ）と、再生用コア３１ｂ（３２ｂ）の両側に、スペーサｓを挟んで、設けられたサイドコア３１ｃ、３１ｄ（３２ｃ、３２ｄ）とで構成されている。また、再生用コア３１ｂ（３２ｂ）は、記録用コア３１ａ（３２ａ）とループ状磁路を形成するように、磁気ギャップＧを形成するギャップスペーサＳを挟んで記録用コア３１ａ（３２ａ）に突き合わされている。なお、記録用コア３１ａ（３２ａ）、再生用コア３１ｂ（３２ｂ）、サイドコア３１ｃ、３１ｄ（３２ｃ、３２ｄ）には、例えば、パーマロイ，センダスト，フェライト等の磁性材料を用いて所定の形状に形成したコアや、あるいは薄板状の金属磁性材料を多数枚積層して所定のコア幅としたコア等が用いられる。また、ギャップスペーサＳ、スペーサｓには、例えば、非磁性材料が用いられている。
【００２５】
磁気ヘッド１は、例えば次のようにして組み立てられる。記録用コア３１ａ（３２ａ）と、再生用コア３１ｂ（３２ｂ）及びサイドコア３１ｃ、３１ｄ（３２ｃ、３２ｄ）とが、例えば真鍮材で形成されるコアホルダ１０に位置決めされながら保持され固着される。その後、突合せ面が研磨され磁気ギャップＧ（ギャップスペーサＳ）を挟んで突き合わされ、樹脂（図示せず）がコアホルダ１０に充填され固まって一体に固着される。樹脂が固まった後、ヘッド部３１、３２は、磁気カードに良好に接触できるように所定の極率半径に研磨される。尚、磁気ヘッドの記録・再生にかかわる構造は本発明の本質ではないのでその詳細な図示と説明は省略する。
【００２６】
この磁気ヘッド１は、ヘッド部３１、３２（以下、「ヘッド部３」とする。）の周囲に配置されるとともに媒体摺動面を構成する領域２を有する被摺動部材、例えば本実施形態においてはコアホルダ１０に、ヘッド部３の磨耗量を示す段部４を少なくとも１箇所有している。尚、カード状磁気記録媒体は例えばキャッシュカードなどのプラスチック製カードなどに代表される比較的硬質の磁気記録媒体であり、磁気ストライプ部分がヘッド部３が突き合わされて形成する磁気ギャップＧの上をヘッド頂部１４の周辺と接触しながら通過するように構成されている。なお、媒体摺動面を構成する領域２とは、図１等に示すように、カード状磁気記録媒体を押し当てて摺接させながら相対的に走行させる磁気ヘッド１に設けられた領域であり、本実施形態では、ヘッド部３とコアホルダ１０によって構成されている。
【００２７】
ここで、段部４は、コアホルダ１０において、ヘッド部３の外でかつ媒体摺動面を構成する領域２の中に存在すると共に、磁気ヘッドの交換時期（磁気ヘッド寿命）に達するまで摩耗したときの媒体摺動面と同じ高さの面で、摩耗したときの媒体摺動面と連続した１つの面となるヘッド寿命アラーム面５を底部として有するものであれば良い。したがって、段部４の配置並びにその形状については特に限定されるものではないが、より好ましくはヘッド部３の周囲に配置されるとともに媒体摺動面を構成する領域２を有する被摺動部材（本実施形態ではコアホルダ１０）の媒体摺動方向と直交する方向の端に媒体摺動方向に沿って段部４を設けることである。ヘッド部３の外であれば、必ずしも端である必要はないが、加工のし易さを考慮すれば、コアホルダ１０の端部に設けることが好ましい。そこで、本実施形態の段部４は、図１及び図２に示すように、図示していないカード状磁気記録媒体が摺動する媒体摺動方向（図中矢印で示す）に沿って、コアホルダ１０の側面にかけて形成されている。また、段部４は、垂直に切り落とすことが加工が容易である上に、境界がはっきりわかるので好ましい。そこで、段部４はカード状磁気記録媒体が摺動する媒体摺動方向に沿って形成され、媒体摺動方向に両端７，７が開放されている平坦なヘッド寿命アラーム面５を形成する切り欠きで構成されている。
【００２８】
さらに、段部４は、ヘッド部３を挟んで媒体摺動方向と交わる方向に複数の段部４を設けること、特に媒体摺動面を構成する領域２の媒体摺動方向と直交する方向の端部の双方に設けることが好ましい。この場合には、カード状磁気記録媒体の僅かな反りや変形などで片当たりして走行しても、少なくとも片方の段部４が消滅して連続した１つの面となるときには磁気ヘッドの寿命がきたと判断することができる。勿論、段部４は少なくとも１箇所存在すれば良く、中でも領域２内であって、コアホルダ１０（被摺動部材）の端部の少なくとも一方に設けられていれば十分アラーム機構として機能する。
【００２９】
段部４のヘッド頂部１４からヘッド寿命アラーム面５までの深さ（ヘッド寿命高さｈ）は、磁気ヘッドの仕様によっても異なるが、概ね２００μｍ前後に設定される。他方、媒体摺動面を構成するヘッド部周辺のヘッド表面は、比較的緩やかな曲面に成形されるため、ヘッド寿命アラーム面５はヘッド寿命高さｈの１０倍程度以上の長さ例えば２０００μｍ程度の長さを有することとなる。また、ヘッド寿命アラーム面５と媒体摺動面を構成する領域２との境界は、段差が生ずるため稜６を形成し線として目視することができる。したがって、境界を示す稜６もまた媒体摺動方向に延びる２０００μｍ以上の線となって表れる。これにより、ヘッド寿命高さｈが増幅されて表れることから、この稜６の変化によっても磁気ヘッドの摩耗状況を把握することができる。特に、照明光を当てたときに段差に影ができるため解り易い。また、曲面から成る磁気ヘッドの頂部付近が平坦に摩耗することから、図３に示すように、ヘッド部３とコアホルダ１０によって構成される、媒体摺動面を構成する領域２において、摩耗した領域２ａと摩耗していない領域２ｂとの境界が線（稜）１５となって目視できる。このことから、この稜１５の線と媒体摺動面を構成する領域２とヘッド寿命アラーム面５との間の境界を示す稜６の線との交差する位置１６がヘッド寿命アラーム面５の両端７、７に向けて遷移する状況からも磁気ヘッドの摩耗量の推移を判断することができる。
【００３０】
以上のように構成される本実施形態の磁気カードリーダー用磁気ヘッド１は、上述したように、磁気ギャップＧに沿って２分した形で別体に製作された記録用コア３１ａ（３２ａ）及び再生用コア３１ｂ（３２ｂ）に所定の巻回数のコイル（図示せず）を巻線した状態で、コアホルダ１０に位置決めしながら保持される（嵌め込む）と共に巻線の各末端を接続した端子を取付け、それらを突合せた間の空間に樹脂（図示せず）を充填して固化させることによって、ヘッド部３（３１、３２）とコアホルダ１０とを一体化するように構成される。したがって、この磁気ヘッド１は、一体に組立てた後、ヘッド部３とコアホルダ１０によって構成される、媒体摺動面を構成する領域２を円筒研磨加工により突き合わせ部分のずれを無くすと共に媒体摺動面を構成する領域２を所望の曲面に整形される。そこで、磁気ヘッド１の媒体摺動面を構成する領域２の研磨加工が完了した後、磁気ギャップＧを構成するヘッド部３の周囲に配置されるとともに媒体摺動面を構成する領域２を有する被摺動部材即ちコアホルダ１０の端に、切削あるいは研削などによりヘッド部３の磨耗量を示す段部４が加工される。例えば、縦フライスやエンドミル、メタルソー等の切削刃具を用いて、ヘッド寿命アラーム面５が削り出されて所定のヘッド寿命高さｈの段部４がつくられる。
【００３１】
このように構成された磁気ヘッド１によれば、ヘッド頂部１４が記録情報の読み書きの度にカード状磁気記録媒体によって擦れるため、ヘッド部３が摩耗するのと同時にヘッド部３の周囲に配置されるとともに媒体摺動面を構成する領域２を有するコアホルダ１０も摩耗して段部４の高さが減少してゆく。そして、摩耗して行くヘッド頂部１４周辺の媒体摺動面を構成する領域２における摩耗した領域２ａがヘッド寿命アラーム面５と同じ高さの連続面になると、ヘッド寿命であると判断できる。つまり、磁気ヘッド１の磨耗量をヘッド表面に露出している段部４の高さによって判断でき、段部４の消失の有無によってヘッド寿命がきたか否かを目視で確認できる。また、コアホルダ１０は、磁気ヘッド１の外形、外枠を構成するものであるので、段部４を容易に、しかも、磁気ヘッド１を構成する他の部位を傷つけるようなこともなく、加工することができる。
【００３２】
次に、本発明の他の実施形態を図６に示す。この実施形態の磁気ヘッド１は、異なる磨耗量を示す階段状の複数段の段部４を有するものである。即ち、本実施形態の磁気ヘッド１の場合、磁気ヘッドの交換時期に達したことを示すヘッド寿命アラーム面５と、それよりも浅くヘッド寿命アラーム面５よりも前のヘッド交換時期に近づいていることを示すヘッド寿命予告アラーム面８とを有する２段から成る段部４を備えるものである。この場合、磁気ヘッドの交換時期あるいは寿命と判断される摩耗量に達する前に、磁気ヘッド寿命に近づきつつあることを段階的に予告可能となる。勿論、ヘッド寿命予告アラーム８を２段、３段と等間隔にあるいは異なる間隔で段階的に形成することも可能であり、この場合には寿命に近づきつつあることをさらに数次にわたって細かく予告ないし警告することができる。さらには、ヘッド寿命アラーム面５の他に、完全にヘッド寿命が尽きる位置を示すヘッド完全寿命面９を含む段部を併存させても良い。なお、異なる磨耗量を示す複数の段部４は、本実施形態の場合には連続的に階段状に形成されたものとして示したが、特にこれに限定されるものではなく、磁気ヘッドの異なる位置に独立して別々に設けても良い。例えば、磁気ヘッド１の右端と左端とで互いにヘッド寿命高さの異なる段部４をそれぞれ設けるようにしても良いし、ヘッド頂部１４を境に媒体摺動方向にヘッド寿命高さの異なる段部４を並べて配置するようにしても良い。
【００３３】
また、段部の他の実施形態を図７に示す。段部４は、平坦な底面から成るヘッド寿命アラーム面５の両端が媒体摺動方向に開放されている切り欠きで構成されている場合ばかりでなく、例えば図７に示すように、媒体摺動面を構成する領域２の曲面と逆向きの曲面からなるヘッド寿命アラーム面５を備えた凹部として形成するようにしても良い。即ち、ヘッド頂部１４を通るギャップ深さ方向の位置で最も深いヘッド寿命高さｈとなる円弧状の凹部からなる切り欠きあるいは溝を形成するようにしても良い。
【００３４】
図８及び図９に本発明のさらに他の実施形態を示す。この他の実施形態は、ヘッド部３’とそれを保持するコアホルダ（図示省略）とをシールドケース１１に収納して樹脂１２で固めるタイプの磁気ヘッドに適用したものである。ヘッド部３’は、磁気ギャップＧ（ギャップスペーサＳ）を挟んで対向配置された磁気コア３３、３４からなり、例えば、一方の磁気コア３３には記録用コイル（図示せず）が巻かれ、他方の磁気コア３４には再生用コイル（図示せず）が巻かれている。磁気コア３３、３４は、ループ状磁路を形成するように、磁気ギャップＧを形成するギャップスペーサＳを挟んで突き合わされている。
【００３５】
磁気ヘッド１’は、ヘッド部３’をコアホルダ（図示せず）で保持してシールドケース１１に収容し、シールドケース１１の窓１３からヘッド部３’の先端及びその周辺を露出させてシールドケース１１内に樹脂１２で固めている。シールドケース１１は、電磁ノイズを遮蔽するために、コアホルダ（図示せず）の周囲を覆うようにしている。また、樹脂１２は、ヘッド部３’とシールドケース１１間に介在させて間隔を持たせるようにしている。尚、磁気ヘッドの構造は本発明の本質ではないのでその詳細な図示と説明は省略する。
【００３６】
この磁気ヘッド１’におけるヘッド部３’の周囲の媒体摺動面を構成する領域２の部材は、ヘッド部３’を包囲するシールドケース１１とすることが好ましい。そして、段部４は、例えば、図８に示すように、シールドケース１１の両端に形成されていることが好ましい。より具体的には、段部４は、媒体摺動面を構成する領域２内であって、媒体摺動方向と直交する方向に、被摺動部材の端部の双方に媒体摺動方向に沿って設けられることが好ましい。勿論、段部４は媒体摺動方向に沿ってシールドケース１１の側面に形成されることに特に限定されるものではなく、場合によっては図９に示すように媒体摺動方向と直交する方向に長手方向が配置されるように入れられる溝によって段部４を構成するようにしても良い。また、磁気ヘッド１’において、シールドケース体１１は、磁気ヘッド１’の外形、外枠を構成するものであるので、段部４を容易に、しかも、磁気ヘッド１’を構成する他の部位を傷つけるようなこともなく、加工することができる。
【００３７】
以上のように構成された磁気ヘッドは、磁気データ処理装置に搭載する場合には、図示していないが、開放されたあるいは開放可能なカード状磁気記録媒体搬送路に臨んで配置することが好ましい。この場合には、保守点検等の際に、搬送路から磁気ヘッドを一々取り外すことなく、その摩耗状況を目視できる。例えば、搬送路を構成する上側のフレームが開くタイプの磁気処理装置であったり、あるいは特開2007-80328号に開示されているように、磁気ヘッドと対向するように配置されるパッドローラが搬送路から退避可能に設けられ、磁気ヘッドが露出する構造をもつカードリーダであったり、搬送路を構成する上側のフレームが開くタイプの磁気処理装置であっても良い。また、特開2007-66023号のように、磁気ヘッド組が取り外し可能であるものも、磁気ヘッドを簡単に取り外して、目視できる。磁気ヘッドが着脱可能な１つのアッセンブリーとしてフレームに組み付けられていれば、フレーム毎磁気ヘッドをとりはずすことによって磁気ヘッドの摩耗状況を知ることができる。
【００３８】
なお、上述の実施形態は本発明の好適な実施の一例ではあるがこれに限定されるものではなく、本発明の要旨を逸脱しない範囲において種々変形実施可能である。例えばヘッド部３の周囲に配置されるとともに媒体摺動面を構成する領域２を有する被摺動部材のいずれかにヘッド頂部１４からヘッド寿命高さｈに相当する位置にヘッド寿命アラーム面５を有する凹部あるいは溝から成る段部４を設けるようにしても良い。即ち、段部４は少なくとも磁気ヘッドの交換時期や磁気ヘッドの寿命に達したときを示す位置まで、媒体摺動面を構成する領域２の中に存在し、かつそのときに摩耗した領域２ａと同じ高さの面で、連続した１つの面となるヘッド寿命アラーム面５を底部として有するものであればその形状は特に限定されるものではない。例えば、上に凸の円弧状のヘッド寿命アラーム面５を有する段部４であっても良いし、ヘッド部３の周囲の媒体摺動面を構成する領域２と摺動方向に同じ長さの段部４でなくとも、それよりも長くても良いし、場合によっては媒体摺動面を構成する領域２よりもかなり短い摺動方向長さの段部４でも良い。さらに、段部４を形成する媒体摺動面を構成する領域２は、コアホルダ１０またはシールドケース体１１に限定されるものではなく、例えば、図８、９に示す磁気ヘッド１’の樹脂１２に形成してもよい。
【図面の簡単な説明】
【００３９】
【図１】本発明をシールドケースを用いない磁気カードリーダー用磁気ヘッドに適用した実施の一形態を示す斜視図である。
【図２】図１のＡ部拡大斜視図であり、段部を含む媒体摺動面近傍を示す。
【図３】磁気ヘッドコアの摩耗が進行している状況における媒体摺動面と段部との変化を示す拡大斜視図である。
【図４】磁気ヘッドコアの摩耗が進行して段部が消失した状態の媒体摺動面を示す拡大斜視図である。
【図５】媒体摺動面における段部の配置関係を示す概略説明図である。
【図６】異なる磨耗量を示す複数の段部が形成されている実施例を示す概略説明図である。
【図７】段部の形状の他の実施形態を示す斜視図である。
【図８】本発明をシールドケースを用いる磁気カードリーダー用磁気ヘッドに適用した実施の一形態を示す斜視図である。
【図９】本発明をシールドケースを用いる磁気カードリーダー用磁気ヘッドに適用した他の実施形態を示す斜視図である。
【符号の説明】
【００４０】
１，１’  磁気ヘッド
２  媒体摺動面を構成する領域
２ａ  媒体摺動面の摩耗した領域
２ｂ  媒体摺動面の摩耗していない領域
３  ヘッド部
４  段部
５  ヘッド寿命アラーム面
６  媒体摺動面と段部との境界を示す稜線
７  ヘッド寿命アラーム面の端
８  ヘッド寿命予告アラーム面
９  ヘッド完全寿命面
１０  コアホルダ
１１  シールドケース
【図１】
2009163818.tif 000003
【図２】
2009163818.tif 000004
【図３】
2009163818.tif 000005
【図４】
2009163818.tif 000006
【図５】
2009163818.tif 000007
【図６】
2009163818.tif 000008
【図７】
2009163818.tif 000009
【図８】
2009163818.tif 000010
【図９】
2009163818.tif 000011